(57)【特許請求の範囲】
【請求項１】
側壁を底辺とする内向形であって裏側内溝と表側内溝とが相対向する形状の蟻溝を有する押出形材からなる縦横フレームにより枠組みされる額縁本体と、その枠組みの内側に着脱可能に嵌まるパネルと、蟻溝への挿入により一又は複数においてフレームに内蔵されるパネル外れ止め用のロックスライダーとからなり、フレームに、蟻溝の裏側内溝を構成する裏部片が欠除されロックスライダーにより開閉される切欠きを設け、パネルには、開かれた切欠きから出し入れされロックスライダーにより押し止められ得る掛止突部を設け、また、ロックスライダーには、切欠きの両端口縁に交互に掛かることによりスライド範囲を規制する突出部としての指掛けを突設したことを特徴とする額縁。
【請求項２】
前記スライド範囲の前後両端においてロックスライダーが動かないように、ロックスライダーの位置決め固定装置を設けたことを特徴とする請求項１記載の額縁。
【請求項３】
位置決め固定装置について、フレームに有する蟻溝の裏側内溝にロックスライダーの掛止穴を設け、ロックスライダーにその前進位置と後退位置とにおいてそれぞれ掛止穴に落ち込む突起を形成し、ロックスライダーには、蟻溝の裏側内溝に係合する長手部分を主体として、それに自らの弾発力により表側内溝に押さえ込まれるバネ脚を突設し、且つ、バネ脚の弾力に抗する押え力を止めるそれよりも短い下止支えを垂設したことを特徴とする請求項２記載の額縁。
【請求項４】
指掛けが、フレームの裏面と面一またはそれ以下に低く形成してあることを特徴とする請求項１，２または３記載の額縁。
【発明の詳細な説明】
【０００１】
この発明は、作品を当てる裏板や、洋画のカンバス、日本画の木枠等のパネルをロックスライダーの操作により止め得るようにした額縁に関する。
【０００２】
【従来の技術】
額縁における裏板の止め方は、一般的に、裏側にピン止めされるトンボと称される掛止片による。また、フレームの側面又は裏面からビスで止める手段が用いられることもあるが、いずれの場合も、裏板のセットに手間がかかり作業が容易ではない。また、所謂トンボによるときには、殊に大型の額縁であると裏板に撓みが生じやすく、しかも、裏板の厚みに過不足があるとそれに対応できないという問題があった。この裏板の厚みの過不足に対する問題解決を目的として、特開平１１―２１６０５１号公報において提案がなされている。
【０００３】
同公報に記載される額縁は、裏板にその辺に沿って所定距離において移動可能に突起付きスライダーを具備し、フレームには内側に突起の係合溝を設けたもので、これによれば、その係合溝が傾斜して形成されているため、スライダーを一方向に移動させたときに、突起が係合溝の傾斜に沿って上ることによって、裏板がその厚みの如何に係わらず正面側に押さえつけられる。また、同額縁においては、裏板を出し入れする必要から、フレームには係合溝が一端で開口する出入口が設けられ、突起を出入口に通過させて裏板を収めたり取り出したりできるようになっている。なお、同公報では、額縁本体と裏板とがそれぞれプラスチックで一体成形された額縁として記載される。
【０００４】
ところで、額縁に収められる裏板、特にカンバスや木枠等のパネルは、一般的に木製であって、特に裏板は薄手であるが、このようなパネルにスライダーを摺動可能に具備することは生産的に容易ではない。加えて、スライダーが不用意に移動するのを止める構造を取るとなると、さらに構造が複雑となる。この移動を停止するために、上記公報では、係合溝と突起とがギザギザの歯形により噛合させる構造を取っているため、押出形材をフレームとする一般的な額縁に実施するには適しなかった。また、構造が複雑であるだけに、別のパネルとの差し替え方式（カンバス、木枠では取り替えが一般的でその必要性が多い）を採ることは容易ではい。
【０００５】
【発明が解決しようとする課題】
この発明は、上記のような実情に鑑みて、フレームに内蔵するスライダーの操作により、パネルの装着及び取外しが容易であり、構造が簡単であってアルミ等の押出形材のフレームの枠組みに適し、パネルの差し替えが容易であるだけでなく、スライダーの不用意な移動が避けられる額縁を提供することを目的とした。
【０００６】
【課題を解決するための手段】
上記の目的を達成するために、この発明は、側壁を底辺とする内向形であって裏側内溝と表側内溝とが相対向する形状の蟻溝を有する押出形材からなる縦横フレームにより枠組みされる額縁本体と、その枠組みの内側に着脱可能に嵌まるパネルと、蟻溝への挿入により一又は複数においてフレームに内蔵されるパネル外れ止め用のロックスライダーとからなり、フレームに、蟻溝の裏側内溝を構成する裏部片が欠除されロックスライダーにより開閉される切欠きを設け、パネルには、開かれた切欠きから出し入れされロックスライダーにより押し止められ得る掛止突部を設け、また、ロックスライダーには、切欠きの両端口縁に交互に掛かることによりスライド範囲を規制する突出部としての指掛けを突設したことを特徴とする額縁を構成した。
【０００７】
【作  用】
上記の構成によれば、パネルを納めるときに、ロックスライダーを開にしてパネルの掛止突部を切欠きから蟻溝に落とし込み、ロックスライダーを閉じると、それによって掛止突部が押さえ止められる。こうして、パネルが脱出不能に止められるだけでなく、パネルの撓みやズレも防止される状態となる。また、パネルを取り外すときは、ロックスライダーを開いて掛止突部を脱出させる。そして、ロックスライダーの開閉は、スライド範囲を規制する突出部としての指掛けの操作により容易になし得る。そして、この指掛をフレームの裏面と面一またはそれ以下に低く形成することにより（請求項４）、指掛けが他の物と接触して動く不都合を防止できる。
【０００８】
また、ロックスライダーが全体的にフレームに内蔵された構造であり、指掛けがフレームの裏面と面一またはそれ以下に低く切欠きに納まっているので、他の物に触れがたく接触による不用意な移動が防止され、確実にロックスライダーが掛止突部を押さえ止めていることによって、パネルが脱落しないよう安全に保持される。
【０００９】
【発明の実施の形態】
この発明は、普通のアルミ等の押出形材からなるフレーム５を用いるならば、それに切欠き６を設け、パネル２には単なる掛止突部９を設けるというように加工が非常に容易であり、フレーム５の蟻溝７にロックスライダー３を挿入する簡単な作業によって、目的とする額縁が提供できる。このロックスライダー３は、上記の作用を果たす限り、特に構造を限定するものではなく、蟻溝７との係合状態を保持しつつ単に摺動するものであれば良い。
【００１０】
請求項２に記載するように、ロックスライダー３の位置決め固定装置１０が設けられていると、切欠き６が不用意に閉じない機能が付与されるので、パネル２を納めやすくさらに作業が容易となり、また、切欠き６が不用意に開いてパネル２が外れるおそれもなくなる。この構造もラチェットを用いる等、構造が様々となる。
【００１１】
しかし、フレーム５に掛止穴１６を、ロックスライダー３にそれに落ち込む突起３１を設け、バネ脚２１でその結合を確実にするようにすれば（請求項３）、構造が簡単となる。この場合、バネ脚２１の弾力に抗して、誤って押さえ込まれても下止支え２３により過剰な下がりが阻止される結果、裏側内溝８ａからロックスライダー３本体が、また、切欠き６から突出部としての指掛け２８がそれぞれ外れるというような不都合が防止される。
【００１２】
バネ脚２１は、実施例ではアーチ形にプラスチックで一体成形したが、ジグザグ状やリング状であっても良い。ゴム質のブロックを固着したものであっても良い。
【００１３】
【発明の効果】
以上説明したように、この発明の額縁によれば、ロックスライダーの突出部に指を掛けて切欠きを開き、パネルの掛止突部を落とし込んで閉じると、それが押さえ止められるので、パネルの装着が容易であり、また、これでフレームの撓みやパネルのズレも防止される。さらに、取外しも容易であり、しかも、構造が簡単であってアルミ等の押出形材のフレームの枠組みに適し、パネルの差し替えも容易となり、また、切欠きを開閉するロックスライダーがフレームに内蔵されており、且つ、切欠きに納まる指掛けに他の物が触れがたいために、ロックスライダーが不用意に移動する不都合が防止される結果、パネルが脱落等しないよう安全に保持されるという優れた効果がある。
【００１４】
【実施例】
次に、この発明の実施例を図面に基づいて説明する。
【００１５】
図面は一実施例を示したもので、その額縁は、縦横フレーム５，５により矩形に枠組みされる額縁本体１と、木枠としてのパネル２と、各フレーム５に摺動可能に組み込まれるロックスライダー３とからなり、フレーム５にロックスライダー３により開閉される切欠き６が設けられ、パネル２には開かれた切欠き６を通過し得る掛止突部９が設けられ、さらに、ロックスライダー３の開閉いずれをも止める位置決め固定装置１０が備えられる。
【００１６】
各フレーム５は、側壁を底辺とする蟻溝７を有するもので、側壁の前端に半円断面で中空の表部片１３を突設し、Ｌ字形断面の裏部片１５と対向して突条１７を突設することにより、その蟻溝７が浅底に構成され、その形状から蟻溝７の裏側と表側の両側に内溝８ａ，８ｂを有する。そして、裏部片１５の部分的に欠除することにより前記した切欠き６が形成される。また、裏側内溝８ａの底面に位置決め固定装置１０の基準としてポンチにより掛止穴１６が形成される。
【００１７】
なお、蟻溝７にＬ字形の連結金具１８を嵌入することにより、額縁本体１の枠組みがなされるものであるが、この蟻溝７にフレーム５の内側面からロックスライダー３を押し入れてその組み込み内蔵がなされている。
【００１8】
パネル２は、縦横桟１９の枠組みの表側に板材２１を張り付けた日本画の木枠であって、フレーム５の切欠き６に対応する位置において、桟１９の側面に頭部がコマ形に大きい鋲を螺入し、鋲の頭部が前記した掛止突部９となっている。掛止突部９は、ロックスライダー３により蟻溝７の表側内溝８ｂに押さえ込まれる大きさであって、これによりパネル２のズレやフレームの撓みが防止される。なお、４０は透明なアクリル板である。
【００１９】
ロックスライダー３は、プラスチックで一体成形されたもので、蟻溝７の裏側内溝８ａに摺動可能に係合する矩形断面の幹状であって、その前端部近くと後端とに、自らの弾性で蟻溝７の表側内溝８ｂに押さえ込まれるバネ脚２１，２１を突設し、前端のバネ脚２１の前にそれよりも短い棒状の下止支え２３を垂設し、それよりも前の幹状部分が掛止突部９の押え部２５となっている。その先端に掛止突部９の押さえ案内口２７が斜面に形成される。また、幹状部分の上面の先端部には一対の突起からなる突出部としての指掛け２８が突設され、後半部上面にはロックスライダー３の位置決め固定装置１０の一要素である前後一対の突起３１，３１が形成される。なお、この突起３１，３１と、前記した掛止穴１６，１６と、バネ脚２１，２１と、下止支え２３とが位置決め固定装置１０の構成として備えられる。
【００２０】
両バネ脚２１，２１は、互いに相反して反るアーチ形であって、下端に摺動しやすく引っ掛かり難い丸み部３３，３３が形成される。この弾発力によりロックスライダー３が蟻溝７の裏側内溝８ａに外れないよう安定して係合する。また、バネ脚２１，２１の弾性に抗してロックスライダー３に過剰な力が加わると下止支え２３が内溝８ｂの底面に接触することによって、ロックスライダー３の過剰な下げが防止される。
【００２１】
突出部としての指掛け２８は、他の物との接触で動く不都合を防止するため、引っ掛かりがないようフレーム５の裏面とは面一またはそれ以下に低く形成され、、指掛け作用を確保するために、両方の間隔の間を低く形成してある。また、ロックスライダー３の移動範囲を規制する作用を兼用するもので、切欠き６の両端口縁に前後して掛かるようになっている。そして、下止支え２３によりこの引っ掛かりが確保される。
【図面の簡単な説明】
【図１】  この発明の要部をパネルの脱着要領において示す額縁の断面した一部斜視図である。
【図２】  パネルの装着状態で示す同額縁の一部裏面図である。
【図３】  同じくパネルの装着状態で示す同額縁の断面図である。
【図４】  同実施例におけるロックスライダーを位置決め固定装置の説明上フレームの裏部片と対応して示す側面図である。
【図５】  同ロックスライダーの正面図である。
【符号の説明】
１  額縁本体
２  パネル
３  ロックスライダー
５  フレーム
６  切欠き
７  蟻溝
８ａ  裏側内溝
８ｂ  表側内溝
９  掛止突部
１５  裏部片
１６  掛止穴
２１  バネ脚
２３  下止支え
２８  突出部としての指掛け
３１  突起
【図１】
0003856381.tif 000002
【図２】
0003856381.tif 000003
【図３】
0003856381.tif 000004
【図４】
0003856381.tif 000005
【図５】
0003856381.tif 000006